(57)【要約】【課題】蓋体の紛失を防止するとともに、開閉弁を操作する際の蓋体の開閉をスムーズに行なえるようにした弁筐を提供する。【解決手段】円筒状の昇降筒体５の上端の開口部８の内側に受け部９が形成され、この受け部９に載せられて開口部８を閉じる蓋体７を備え、昇降筒体５の受け部９の直ぐ下側位置から下方に向かって連結金具１０の下端両側を係合させて連結金具１０の上下方向の移動を案内する２本で一対の縦溝１１が形成されており、縦溝１１の下端は開放状態に形成され、また縦溝１１の上端には連結金具１０の下端両側が上方へ抜け外れないように係止部１２が形成されており、連結金具１０は下端に両側に張り出して縦溝１１に係合する爪部１３を備えた板状の下側の連結材１４と、この下側の連結材１４の上端に枢結される板状の上側の連結材１７とからなり、上側の連結材１７の上端と蓋体７の外周に近い位置の裏面とを枢結した。【選択図】    図７
2007056550.tif 000002
【特許請求の範囲】
【請求項１】
円筒状の弁筐の上端の開口部の内側に段差状の受け部が形成され、この受け部に載せられて前記開口部を閉じる蓋体を備え、前記弁筐の受け部の直ぐ下側位置から下方に向かって連結金具の下端両側を係合させて連結金具の上下方向の移動を案内する２本で一対の縦溝が形成されており、この縦溝の下端は開放状態に形成され、また縦溝の上端には連結金具の下端両側が上方へ抜け外れないように係止部が形成されており、前記連結金具は下端に両側に張り出して前記縦溝に係合する爪部を備えた板状の下側の連結材と、この下側の連結材の上端に枢結される板状の上側の連結材とからなり、下側の連結材の下端の爪部を前記縦溝の下端より縦溝に嵌入させて連結金具を上方にスライドさせた状態でのみ上側の連結材の上端と蓋体の外周に近い位置の裏面とを枢結可能としたことを特徴とする弁筐。
【発明の詳細な説明】
【技術分野】
【０００１】
本発明は、例えば地中に埋め込まれた上水管もしくは下水管に取り付けられる開閉弁の取り付け部において地上から開閉弁を操作すべく開閉弁取り付け部の上部に空間を形成するために地中に埋設される鋳鉄製の弁筐に関するものである。
【背景技術】
【０００２】
従来からこの種鋳鉄製の弁筐としては、地中に埋め込まれた上水管もしくは下水管に取り付けられる開閉弁の取り付け部を上方から覆う筒状の本体部と、この本体部の下端の膨らみ部から上側の筒状部の内面の雌ねじ部に螺合する雄ねじ部が外面に形成された昇降筒体と、この昇降筒体の上端の開口部を閉じる蓋体とからなるものが知られている。
【０００３】
そして、これらは地中に埋設され、昇降筒体の上端の開口部の高さ位置が地表面に沿うように調整され、前記昇降筒体の上端の開口部の内側に形成された段差状の受け部に蓋体が載せられる。
【発明の開示】
【発明が解決しようとする課題】
【０００４】
ところで、前記昇降筒体の上端に位置する蓋体は地表面に露出し、その上をトラックやダンプカーなどの大型車輛が載って走行したときに跳ね上がって昇降筒体から離れた位置に転げ動き、紛失するなどの問題があることから、蓋体は昇降筒体に対してチェーンで繋がれるなどしている。詳しくは、蓋体の裏面と昇降筒体の内面との間をチェーンで繋ぐことにより、蓋体の上を大型車輛が載って走行したときに蓋体が跳ね上がっても紛失するのを防止できるが、蓋体が跳ね上がらなくても昇降筒体の上端で回転することが度々あり、開閉弁を操作する際の蓋体の開閉に支障のないように充分な長さのチェーンを用いていても蓋体の回転により昇降筒体の内部で前記チェーンがからんでしまい、蓋体の開閉がスムーズに行なえないという問題があった。
【０００５】
本発明の目的は、このような課題を解決するものであり、蓋体の上を大型車輛が載って走行したときに蓋体が跳ね上がることによる蓋体の紛失を防止するとともに、開閉弁を操作する際の蓋体の開閉をスムーズに行なえるようにした弁筐を提供することにある。
【課題を解決するための手段】
【０００６】
本発明の請求項１に記載の弁筐は、円筒状の弁筐の上端の開口部の内側に段差状の受け部が形成され、この受け部に載せられて前記開口部を閉じる蓋体を備え、前記弁筐の受け部の直ぐ下側位置から下方に向かって連結金具の下端両側を係合させて連結金具の上下方向の移動を案内する２本で一対の縦溝が形成されており、この縦溝の下端は開放状態に形成され、また縦溝の上端には連結金具の下端両側が上方へ抜け外れないように係止部が形成されており、前記連結金具は下端に両側に張り出して前記縦溝に係合する爪部を備えた板状の下側の連結材と、この下側の連結材の上端に枢結される板状の上側の連結材とからなり、下側の連結材の下端の爪部を前記縦溝の下端より縦溝に嵌入させて連結金具を上方にスライドさせた状態でのみ上側の連結材の上端と蓋体の外周に近い位置の裏面とを枢結可能としたことを特徴とする。
【発明の効果】
【０００７】
以上のように、本発明の弁筐は、弁筐の上端の開口部を閉じる蓋体が連結金具を介して弁筐に連結されているので、蓋体の上を大型車輛が載って走行したときに蓋体が跳ね上がても蓋体が紛失するようなことがなく、また連結金具は板状であり下側の連結材の下端の爪部が弁筐の縦溝に係合しているので、弁筐に対する蓋体のねじれ（回転）がほとんどなく、さらに蓋体を開いた状態において弁筐の内面の突出部として縦溝が存在するだけであるので、僅かに内方に突出するのみであるので、弁筐本体部内の開閉弁を操作する際、弁筐本体部内に大きな突出部が存在せず、開閉弁の操作作業が行ないやすくなる。また、上側の連結材の上端と蓋体とを枢結する際、下側の連結材の下端の爪部を前記縦溝の下端より縦溝に嵌入させて連結金具を上方にスライドさせた状態でのみ枢結作業が可能であり、換言すれば上側の連結材の上端に蓋体が連結した状態では下側の連結材の下端の爪部を縦溝の下端より外すことは不可能であり、盗難防止効果も得られる。
【発明を実施するための最良の形態】
【０００８】
以下、本発明の一実施の形態を、図１〜図８を用いて具体的に説明する。
図において、１は地中に埋め込まれた上水管もしくは下水管に取り付けられる開閉弁（図示せず）の取り付け部を上方から覆う筒状の本体部で、この本体部１は下端の膨らみ部２から上方に延び内面に雌ねじ部３が形成された円筒状の筒状部４を備えている。５は前記筒状部４の内面の雌ねじ部３に螺合する雄ねじ部６が外面に形成された円筒状の昇降筒体で、この昇降筒体５は前記筒状部４の上端より螺入して昇降可能となっている。７は昇降筒体５の上端の開口部８を閉じる蓋体で、この蓋体７は昇降筒体５の上端の開口部８の内側に形成された段差状の受け部９に載せられる。なお、前記昇降筒体５の上端の高さ位置が地表面に沿うように予め調整されており、蓋体７が昇降筒体５の上端の受け部９に載せられた状態において蓋体７の高さ位置も地表面に沿うようになる。本実施の形態の弁筐は前記本体部１、昇降筒体５、蓋体７によって構成され、これらは全て鋳鉄製である。
【０００９】
次に、前記昇降筒体５と蓋体７との連結構造について説明すると、前記昇降筒体５の内面には前記受け部９の直ぐ下側位置から下方に向かって連結金具１０の下端両側を係合させて連結金具１０の上下方向の移動を案内する２本で一対の縦溝１１が形成されており、この縦溝１１の下端は開放状態に形成され、また縦溝１１の上端には連結金具１０の下端両側が上方へ抜け外れないように係止部１２が形成されている。前記連結金具１０は下端に両側に張り出す爪部１３を備えた板状の下側の連結材１４と、この下側の連結材１４の上端にボルト１５とナット１６により回転可能に枢結され下側の連結材１４よりも長さが若干短い板状の上側の連結材１７とからなり、下側の連結材１４の下端の爪部１３を前記縦溝１１の下端より縦溝１１に嵌入させて連結金具１０を上方にスライドさせ、上側の連結材１７の上端と蓋体７の外周に近い位置の裏面とをボルト１８とナット１９により回転可能に枢結している。さらに詳しくは、前記下側の連結材１４の上端には中央に前記ボルト１５を挿通させる軸受け部２０を備え、前記上側の連結材１７の下端には下側の連結材１４の上端中央の軸受け部２０を両側から挟み前記ボルト１５を挿通させる軸受け部２１を備えており、上側の連結材１７の軸受け部２１で下側の連結材１４の軸受け部２０を両側から挟んだ状態で軸受け部２０，２１にボルト１５を挿通させ、ボルト１５の先端にナット１６を螺合させることにより下側の連結材１４と上側の連結材１７が自在に屈曲するように連結されるものである。また、上側の連結材１７の上端には蓋体７の外周に近い位置の裏面に形成された軸受け部２２を両側から挟む軸受け部２３を備え、上側の連結材１７の軸受け部２３で蓋体７の軸受け部２２を両側から挟んだ状態で軸受け部２２，２３にボルト１８を挿通させ、ボルト１８の先端にナット１９を螺合させることにより上側の連結材１７と蓋体７が自在に屈曲するように連結されるものである。ところで、上側の連結材１７と蓋体７の連結は連結金具１０を縦溝１１に係合させて縦溝１１の上端まで移動させた状態で行なうものであり、上側の連結材１７と蓋体７とを連結した状態で下側の連結材１４を縦溝１１の下端より係合させることができないように連結金具１０、詳しくは下側の連結材１４および上側の連結材１７の長さが設定されている。さらに、下側の連結材１４の下端の爪部１３が縦溝１１の上端の係止部１２に当接した状態において上側の連結材１７が蓋体７の軸受け部２２に近接する周囲１箇所の切欠き部７ａに嵌り込み、蓋体７は地面に載って昇降筒体５の上端の開口部８が大きく開かれるようになっている。
【００１０】
ところで、本実施の形態では本体部１に対して昇降筒体５が螺入して全体長さを調整可能なねじ式弁筐について説明したが、全体の長さ調整ができない一体型の弁筐に対しても実施できることは言うまでもない。
【図面の簡単な説明】
【００１１】
【図１】本発明の一実施の形態における弁筐の分解斜視図である。
【図２】同昇降筒体の上端より内部を見た要部拡大斜視図である。
【図３】同蓋体を裏返して見た拡大斜視図である。
【図４】同連結金具の拡大斜視図である。
【図５】同連結金具に蓋体を連結する状態を示す拡大斜視図である。
【図６】同連結金具に蓋体を連結した状態を示す拡大斜視図である。
【図７】同連結金具に連結された蓋体が閉じた状態を示す弁筐の一部切欠き正面図である。
【図８】同蓋体が開いた状態を示す要部拡大斜視図である。
【符号の説明】
【００１２】
１    本体部
３    雌ねじ部
４    筒状部
５    昇降筒体
６    雄ねじ部
７    蓋体
８    開口部
９    受け部
１０    連結金具
１１    縦溝
１２    係止部
１３    爪部
１４    連結材
１５    ボルト
１６    ナット
１７    連結材
１８    ボルト
１９    ナット
【図１】
2007056550.tif 000003
【図２】
2007056550.tif 000004
【図３】
2007056550.tif 000005
【図４】
2007056550.tif 000006
【図５】
2007056550.tif 000007
【図６】
2007056550.tif 000008
【図７】
2007056550.tif 000009
【図８】
2007056550.tif 000010